(57)【要約】【課題】土嚢ホースの接続や積み重ねが円滑に行えるようにするとともに、簡単に給水作業が出来るようにすることである。【解決手段】先端に給水ホース接続部３が設けられ、後端が閉鎖されている土嚢ホースにおいて；前記給水ホース接続部３は、土嚢ホースの本体１内に配設された、自動給水バルブに連続しており、この自動給水バルブは、給水ホース接続部３に固定された、給水口１０を備えたボデイ６と、該ボデイ６に形成された弁座１２と、ばね２５により閉弁方向に付勢され、前記弁座１２に着座する弁体１５と、を備えている。【選択図】　図２
2004107999.tif 000002
【特許請求の範囲】
【請求項１】
先端に給水ホース接続部が設けられ、後端が閉鎖されている土嚢ホースにおいて；
前記給水ホース接続部は、土嚢ホース本体内に配設された、自動給水バルブに連続していることを特徴とする土嚢ホース。
【請求項２】
自動給水バルブは、給水ホース接続部に固定された、給水口を備えたボデイと、該ボデイに形成された弁座と、ばねにより閉弁方向に付勢され、前記弁座に着座する弁体と、を備えていることを特徴とする請求項１記載の土嚢ホース。
【請求項３】
土嚢ホースの先端に雄金具が設けられ、その後端に雌金具が設けられていることを特徴とする請求項１記載の土嚢ホース。
【請求項４】
雄金具の中央部には、給水ホース接続部が位置し、該給水ホース接続部の先端面は前記雄金具の端面と同一平面上に位置していることを特徴とする請求項３記載の土嚢ホース。
【請求項５】
雄金具は、ハ字状の突部を有し、雌金具は、前記雄金具が嵌着されるハ字状の凹部を備えていることを特徴とする請求項３記載の土嚢ホース。
【発明の詳細な説明】
【０００１】
【発明の属する技術分野】
この発明は、浸水防止等に用いられる土嚢ホースに関するものであり、更に述べると、土を詰める代わりに、水を充填する所謂土嚢ホースに関するものである。
【０００２】
従来、浸水を防止するバリケードとして土嚢が用いられているが、この土嚢は、製造や運搬に多くの時間と労力を要するので、経済的な問題があると共に、冠水等の危険場所に予め保管しておく場合には、その保管スペースの確保が問題となる。
【０００３】
そこで、上記問題を解決するため、土嚢ホースが用いられている。この土嚢ホースは、一定の長さ、例えば、３３ｍ、の合成樹脂製のホースで、土砂の代わりに、水を充填することにより土嚢を形成するものである。
この土嚢ホースの先端には、給水ホース接続部が設けられ、該給水ホース接続部には、ボールバルブが設けられ、その後端は、閉鎖されている。
【０００４】
【発明が解決しようとする課題】
従来例には、次の様な問題がある。
（１）ボールバルブは、コックを操作することにより開閉されるが、このコックは、給水ホース接続部から突出して設けられている。そのため、土嚢ホースを長手方向に接続したり、又は、積み重ねたりする場合には、このコックが邪魔になり、設計通りに配設することが困難となる。
（２）コックを手動により操作するので、給水作業の行程が多くなり、作業能率が良くない。
【０００５】
この発明は、上記事情に鑑み、土嚢ホースの接続や積み重ねが円滑に行えるようにすることを目的とする。他の目的は、簡単に給水作業が出来るようにすることである。
【０００６】
【課題を解決するための手段】
この発明は、先端に給水ホース接続部が設けられ、後端が閉鎖されている土嚢ホースにおいて；前記給水ホース接続部は、土嚢ホース本体内に配設された、自動給水バルブに連続していることを特徴とする。
【０００７】
この発明の自動給水バルブは、給水ホース接続部に固定された、給水口を備えたボデイと、該ボデイに形成された弁座と、ばねにより閉弁方向に付勢され、前記弁座に着座する弁体と、を備えている。
この発明の土嚢ホースの先端には雄受け金具が設けられ、その後端には雌受け金具が設けられていることを特徴とする。
【０００８】
この発明の雄金具の中央部には、給水ホース接続部が位置し、該給水ホース接続部の先端面は前記雄金具の端面と同一平面上に位置していることを特徴とする。この雄金具は、ハ字状の突部を有し、雌金具は、前記雄金具が嵌着されるハ字状の凹部を備えていることを特徴とする。
給水ホース接続部には、半径方向に摺動可能な爪が設けられ、給水ホースの接続口には、前記爪と係合する係止部と前記係合を解除する押し輪とが設けられていることを特徴とする。
【０００９】
【発明の実施の形態】
本発明は、自動給水バルブを土嚢ホース内に配設すると共に、給水により開弁し、満水により閉弁する様にしたものである。
【００１０】
【実施例】
この発明の実施例を図１〜図３により説明する。
土嚢ホースの本体１は、合成樹脂等の可撓性材料で形成され、その先端に給水ホース接続部３が設けられ、その後端は、閉鎖されている。
【００１１】
給水ホース接続部３には、半径方向に摺動可能な爪５が、円周方向に間隔をおいて３個配設されている。
この給水ホース接続部３は、ボデイ６の先端部に嵌着され、ねじ止めされている。このボデイ６は、受台７にボルト８により固定されている。
【００１２】
ボデイ６には、複数の給水口１０が設けられ、その後端部には、弁座１２が設けられている。このボデイ６には、シャフト１４が本体１の内方に突出して設けられている。
【００１３】
このシャフト１４は、弁体１５と同心状に設けられている。この弁体１５は、有底直筒部１５ａと、フランジ部１５ｂとを備えており、該フランジ部１５ｂには前記弁座１２と当接するパッキン２０が設けられている。このパッキン２０は、パッキン押さえ２１により押圧されているが、このパッキン押さえ２１、パッキン２０及びフランジ部１５ｂは皿ねじ２２により一体に固定されている。なお、２９は、シールパッキン、３０は袋ナット、である。
【００１４】
シャフト１４のストッパ部１４ａとパッキン押さえ２１との間には、スプリング２５が張設され、又、前記ストッパ部１４ａには、調整パイプ２６が設けられている。この調整パイプ２６は、弁体１５のストロークを調整し、弁体１５の摺動範囲を規制する。
【００１５】
給水ホース接続部３には、雄金具２８が設けられているが、この雄金具２８は、ハ字状の凸部を有し、該凸部の端面は、前記給水ホース接続部３の先端面３ａと同一平面上に位置している。又、土嚢ホースの本体１の後端面には、図示しない雌金具が設けられている。
【００１６】
次に、本実施例の作動について説明する。
図示しないリールに巻かれて保管されている、土嚢ホースを所定位置に搬送した後、給水ホース接続部３に給水ホース３１の接続口を差し込む。
【００１７】
そうすると、爪５が外方に押されて拡径した後、縮径して元の位置に戻り、接続口の係止部に係止するので、給水ホース３１はロックされる。
この状態では、給水ホース３１に給水されていないので、弁体１５のパッキン２０はスプリング２５のばね力により弁座１２に圧接し、閉弁状態を維持している。
【００１８】
図示しない給水ポンプを駆動し、給水ホース３１に圧力水Ｗを圧送すると、該圧力水Ｗは、給水口１０を通ってパッキン２０を押圧する。そうすると、図３に示すように、弁体１５は、ばね力に抗して矢印Ａ２０方向に摺動し、パッキン２０は弁座１２から離れるので、圧力水Ｗは土嚢ホースの本体１内に流れ込む。
【００１９】
土嚢ホース内に圧力水Ｗが充満すると、弁体１５には、スプリング２５の閉弁方向のばね力と、弁体１５の背面側を押圧する閉弁方向の水圧力と、がかかるので、パッキン２０は弁座１２に圧接し、図２に示すように閉弁状態となる。
この様にして土嚢ホースを充水することにより、弁体１５は、自動的に閉弁状態となるので、従来例の様なコックの操作は不要である。
【００２０】
土嚢ホースが満水状態になり、給水できなくなったら、ポンプの駆動を停止するとともに、図示しない接続口の押し輪を押して爪５を押し広げると、該爪５と接続口との係止が解除されるので、給水ホース３１は給水ホース接続部３から容易に抜ける。
【００２１】
この本体１の一端の雄金具に他の土嚢ホースの本体１の雌金具を嵌着し、又、その他端の雌金具に他の土嚢ホースの本体１の雄金具を嵌着して接続し、所望の長さ、例えば、３３ｍ×３＝９９ｍ、にする。
【００２２】
また、土嚢ホースの本体１を三本積み重ねて三角形状に形成し、土塁として利用するが、自動給水バルブが土嚢ホース内にあり、かつ、コックがないので、設計通りに積み重ねることが出来る。
【００２３】
【発明の効果】
この発明の給水ホース接続部は、土嚢ホースの本体内に配設された、自動給水バルブに連続しているので、土嚢ホースに給水を開始すると自動的に開弁し、又、土嚢ホースが満水状態となると自動的に閉弁する。そのため、土嚢ホースの製造作業、給水作業等が容易となる。
又、従来例と異なり、手動のコックを用いないので、土嚢ホースの接続や積み重ね等の作業を円滑に行うことが出来る。
【図面の簡単な説明】
【図１】本発明の実施例を示す平面図である。
【図２】図１のＩＩ−ＩＩ線断面図であり、閉弁状態を示す図である。
【図３】閉弁状態を示す図である。
【符号の説明】
１　　土嚢ホースの本体
３　　給水ホース接続部
６　　ボデイ
１２　弁座
１０　給水口
１５　弁体
２０　パッキン
【図１】
2004107999.tif 000003
【図２】
2004107999.tif 000004
【図３】
2004107999.tif 000005